(57)【要約】【課題】  入退場をより確実に伝達可能としながら、盗難や遺失の場合においても個人情報の流出の心配がない入退場連絡システムを提供することを目的とする。【解決手段】  個人を一意に特定可能な識別情報が登録された可搬型記憶媒体と、識別情報と関連付けて管理情報を記録する記憶装置と、出入り口に設置され可搬型記憶媒体から第１の情報を読み取る読取装置と、読取装置が読み取った識別情報と連絡先情報に基づき当該個人の入場または退場を自動的に連絡する連絡手段とを設けたことを特徴とする入退場連絡システムを提供する。【選択図】  図１
2005115726.tif 000002
【特許請求の範囲】
【請求項１】
個人の入退場を連絡するシステムであって、
個人を一意に特定可能な識別情報が登録された可搬型記憶媒体と、
前記識別情報と関連付けて管理情報を記録する記憶装置と、
出入り口に設置され、前記可搬型記憶媒体から前記第１の情報を読み取る読取装置と、
前記読取装置が読み取った前記識別情報と前記連絡先情報に基づき、当該個人の入場または退場を自動的に連絡する連絡手段と、
を備えることを特徴とする入退場連絡システム。
【請求項２】
請求項１記載の入退場連絡システムであって、
前記連絡手段が、
前記読取装置が読み取った前記識別情報に基づき、前記記憶装置から当該個人の連絡先情報を取得する連絡先取得手段と、
取得した連絡先情報に基づき、入場または退場の入退場情報を電子メールに記述して送信する電子メール送信手段と、
を備えることを特徴とする入退場連絡システム。
【請求項３】
請求項１または２記載の入退場連絡システムであって、
前記識別情報が、
任意の桁数から成り、個人を一意に特定可能であるが、特別な意味は持たない、
ことを特徴とする入退場連絡システム。
【請求項４】
請求項１から３のいずれかに記載の入退場連絡システムであって、
前記管理情報が、
前記入退場情報の送信先の電子メールアドレスであり、
前記連絡先取得手段が、
前記識別情報に関連付けられている前記記憶手段に記録されている前記管理情報を前記連絡先情報とする、
ことを特徴とする入退場連絡システム。
【請求項５】
請求項１から４のいずれかに記載の入退場連絡システムであって、
前記管理情報が、
前記入退場情報の送信先の電子メールアドレスの一部を含み、
前記連絡先取得手段が、
前記識別情報の所定の一部と、前記識別情報に関連付けられている前記記憶手段に記録されている管理情報の所定の一部とを、所定の方法により合成して前記連絡先情報を取得する、
ことを特徴とする入退場連絡システム。
【請求項６】
請求項１から５のいずれかに記載の入退場連絡システムであって、
前記可搬型記憶媒体が、
非接触型ＩＣカード、またはＲＦＩＤ素子であり、
前記読取装置が、
非接触型インタフェースにより前記可搬型記憶媒体の情報を読み取る、
ことを特徴とする入退場連絡システム。
【請求項７】
コンピュータを請求項１から６記載の入退場連絡システムとして動作させるプログラム。
【請求項８】
コンピュータを請求項１から６記載の入退場連絡システムとして動作させるプログラムを記録したコンピュータ読み取り可能な媒体。
【発明の詳細な説明】
【技術分野】
【０００１】
本発明は、個人の入退場を家庭などの予め登録した連絡先に連絡するシステムに関するものである。
【背景技術】
【０００２】
近年、学習塾や習い事、野球やサッカーなどのスポーツクラブなどに通う子供は極めて多いが、行き帰りが夜間にかかる場合もあるため、家庭では無事に到着したか、安全に帰路についているか心配である。
【０００３】
係る問題を解決するために、特に、帰路につく前に、公衆電話や子供に持たせた携帯電話から家庭に電話をさせることが一般的である。
【０００４】
しかしながら、電話する方法では、当然ながら子供自身が電話をしなければ、子供が無事に学習塾などに着いたことや学習塾などを出たこともわからず、安全を確認することができない。
【０００５】
そこで、学習塾などにおいては、塾側および家庭側の電話番号が登録されたＩＣカードや携帯電話機の加入者識別モジュールの電話番号を読み取り、自動的に発信する塾生管理システムが提案されている（例えば、特許文献１参照）。
【特許文献１】特開２００２−２６１９６９号公報。
【０００６】
しかしながら、電話を使用する方法は、電話先が話中であるなど、必ずしもタイムリーに伝達できない場合がある。
【０００７】
また、ＩＣカードや加入者識別モジュールを搭載した携帯電話が盗難にあったり、遺失した場合、セキュリティが強固な媒体ではあるが、個人情報が他人の手に渡ってしまうという問題が残る。
【発明の開示】
【発明が解決しようとする課題】
【０００８】
本発明は係る問題に鑑みてなされたものであり、その目的とするところは、入退場をより確実に伝達可能としながら、盗難や遺失の場合においても個人情報の流出の心配がない入退場連絡システムを提供することである。
【課題を解決するための手段】
【０００９】
上記目的を達成するために、本発明の第１の態様は、個人の入退場を連絡するシステムにおいて、個人を一意に特定可能な識別情報が登録された可搬型記憶媒体と、前記識別情報と関連付けて管理情報を記録する記憶装置と、出入り口に設置され前記可搬型記憶媒体から前記第１の情報を読み取る読取装置と、前記読取装置が読み取った前記識別情報と前記連絡先情報に基づき当該個人の入場または退場を自動的に連絡する連絡手段とを設けたものである。
【００１０】
本発明の第２の態様は、上述の第１の態様に係る入退場連絡システムにおいて、前記連絡手段に、前記読取装置が読み取った前記識別情報に基づき前記記憶装置から当該個人の連絡先情報を取得する連絡先取得手段と、取得した連絡先情報に基づき入場または退場の入退場情報を電子メールに記述して送信する電子メール送信手段とを設けたものである。
【００１１】
本発明の第３の態様は、上述の第１または２の態様に係る入退場連絡システムにおいて、前記識別情報を、任意の桁数から成り、個人を一意に特定可能であるが特別な意味は持たないように構成したものである。
【００１２】
本発明の第４の態様は、上述の第１から３の態様に係る入退場連絡システムにおいて、前記管理情報が、前記入退場情報の送信先の電子メールアドレスであり、前記連絡先取得手段が、前記識別情報に関連付けられている前記記憶手段に記録されている前記管理情報を前記連絡先情報とするように構成したものである。
【００１３】
本発明の第５の態様は、上述の第１から４の態様に係る入退場連絡システムにおいて、前記管理情報が、前記入退場情報の送信先の電子メールアドレスの一部を含み、前記連絡先取得手段が、前記識別情報の所定の一部と前記識別情報に関連付けられている前記記憶手段に記録されている管理情報の所定の一部とを所定の方法により合成して前記連絡先情報を取得するように構成したものである。
【００１４】
本発明の第６の態様は、上述の第１から５の態様に係る入退場連絡システムにおいて、前記可搬型記憶媒体が、非接触型ＩＣカードまたはＲＦＩＤ素子であり、前記読取装置が、非接触型インタフェースにより前記可搬型記憶媒体の情報を読み取るように構成したものである。
【００１５】
本発明の第７の態様は、コンピュータを上述の第１から６の態様に係る入退場連絡システムとして動作させるプログラムを提供するようにしたものである。
【００１６】
本発明の第８の態様は、コンピュータを上述の第１から６の態様に係る入退場連絡システムとして機能させるプログラムを記録したコンピュータ読み取り可能な媒体を提供するようにしたものである。
【発明の効果】
【００１７】
本発明に係る入退場連絡システムによれば、非接触インタフェースに対して、可搬型記憶媒体を読み取らせる簡単な操作だけで、予め指定された連絡先へ入場または退場を自動的に連絡することが可能となる。
【００１８】
また、連絡には電子メールを使用するので、連絡先が話中で繋がらないということもなく、電子メールの受信機能を備えるパソコン、携帯情報端末、固定電話、携帯電話などの機器において、確実に連絡を受け取ることが可能となる。
【００１９】
また、可搬型記憶媒体には、任意の桁数の特定の意味を持たない識別情報だけを登録しているので、第三者が可搬型記憶媒体を取得した場合においても、電話番号や電子メールアドレスなどの個人情報の流出や、その情報を悪用されることがなく、安全である。
【発明を実施するための最良の形態】
【００２０】
以下、本発明を図示する実施形態に基づいて説明する。図１は、本発明の入退場連絡システムの概要構成図である。
【００２１】
入退場連絡システムは、可搬型記憶媒体１、記憶装置２、読取装置３、連絡手段４を備えている。
【００２２】
可搬型記憶媒体１は、個人を一意に特定可能な識別情報を記憶するもので、非接触ＩＣカードを用いた会員カードや、ＲＦＩＤ素子を鞄などに添付可能な形態に成形した、例えば、ストラップなど、個人が識別情報を携帯できるようにするものである。
【００２３】
記憶装置２は、図２に示すように、個人毎に識別情報と管理情報を関連付けて記録している磁気ディスクや半導体メモリなどである。
【００２４】
読取装置３は、塾などの玄関や教室の出入り口などに設置されており、誘電ループ型などの近接電磁界伝送方式により、非接触のインタフェースで、可搬型記憶媒体１から識別情報を読み出し、識別情報を連絡手段４へ伝達するものである。
【００２５】
連絡手段４は、連絡先取得手段５と電子メール送信手段６を備え、当該個人の連絡先に対して、個人の入退場の連絡を行うものである。
【００２６】
連絡先取得手段５は、識別情報および管理情報の構成から連絡先の電子メールアドレスを取得するものである。
【００２７】
識別情報は、可搬型記憶媒体１が記憶可能な任意の桁数の文字列から構成されており、個人を一意に特定する以外は、特別な意味を持たない情報である。識別情報には、所定の規則性を持たせて、連絡先の一部を埋め込むことも可能である。
【００２８】
管理情報は、実際には、当該個人の入場または退場の連絡を送信する連絡先の電子メールアドレス自体か、電子メールアドレスの所定の一部である。
【００２９】
管理情報が完全な電子メールアドレス自体である場合、図３に示すように、識別情報は個人を一意に特定できる任意の文字列で構成されており、連絡先取得手段５は、識別情報により管理情報を特定し、管理情報を電子メールアドレスとして取得する。
【００３０】
管理情報が電子メールアドレスの所定の一部である場合は、図４に示すように、識別情報は所定の規則により管理情報を補完可能な電子メールアドレスを一部を含んでおり、連絡先取得手段５は、識別情報により管理情報を特定し、所定の規則に従い、識別情報の一部を管理情報に埋め込み、電子メールアドレスを生成する。
【００３１】
図４は、最初の「ａ」と最後の「２」が電子メールアドレスの一部から抜き出した文字を識別情報に挿入したものであり、「ａ」と「２」を電子メールアドレスの直前に付加する例である。
【００３２】
識別情報と管理情報をどのように構成するか、および、識別情報が電子メールアドレスの一部を含む場合の電子メールアドレス生成の規則は、運用形態により任意である。
【００３３】
電子メール送信手段６は、連絡先取得手段５が取得した連絡先の電子メールアドレスに対して、当該個人の入場または退場の時刻などを記述した電子メールを発信するものである。
【００３４】
次に、図５のフローチャートに従い、本発明の入退場連絡システムの動作について、学習塾の入退場を例に説明する。
【００３５】
生徒は、学習塾の教室などに入場する際と、学習塾の教室などから退場する際に、生徒自身が携帯している可搬型記憶媒体１を、読取装置３へ近接させる。
【００３６】
読取装置３は、可搬型記憶媒体１から読み取った識別情報と入退場の区別を、連絡手段４へ伝達し、入場または退場の連絡を依頼する。
【００３７】
ここで、入場か退場かの判断は、２台の読取装置３を入場用と退場用という役割で使いわける形態でも、記憶装置２などに入場または退場を記録し、例えば、既に入場済みの生徒が可搬型記憶媒体１を近接させた場合は「退場」と判断する、など、可搬型記憶媒体１から読み取った際の当該生徒の状態により判断する形態でも、任意である。
【００３８】
管理情報が完全な電子メールアドレス自体である場合、連絡先取得手段５は、識別情報により記憶装置２に記録されている管理情報を特定し、管理情報を電子メールアドレスとして取得する。
【００３９】
管理情報が電子メールアドレスの所定の一部である場合は、連絡先取得手段５は、識別情報により記憶装置２に記録されている管理情報を特定し、所定の規則に従い識別情報の一部を管理情報に埋め込み、電子メールアドレスを生成する。
【００４０】
電子メール送信手段６は、入退場の区別に従い電子メールの文面を選択または作成し、図６に示すように、識別情報により生徒の氏名などを記憶装置２から取得して文面に記載し、連絡先取得手段５により取得した電子メールアドレスに対して、電子メールを送信する。
【００４１】
送信した入場または退場の電子メールは、生徒の保護者が所有する電子メールの受信機能を備えるパソコン、携帯情報端末、固定電話、携帯電話などの電子メール受信装置において受信できる。
【００４２】
電子メール送信手段６は、複数蓄積された識別情報を一括して処理する形態ではなく、読取直後に１件づつ送信する形態か、任意の時間差を設けて送信する形態の方が、大量メールの一斉送信による迷惑メールと誤認されることもなく、好適である。
【００４３】
更に、本発明の基本概念は、必ずしも学習塾などへの利用に限定されるものではなく、学校、習い事、スポーツクラブなど、子供が通う様々な場面に適用することができる。
【００４４】
また、本発明の基本概念は、必ずしも子供の入退場の連絡に限定されるものではなく、展示会やイベント、特定場所への入退場など、何らかの理由で入退場を連絡する必要がある場合に適用することも可能である。
【００４５】
すなわち、本発明の基本概念は、個人が何らかの場所の入退場を行う際に、識別情報と管理情報に基づいて、当該個人の入退場状況を知りたい人間に対して自動的に連絡する手法にあり、個人が携帯する識別情報に基づいて、入退場を連絡する様々な分野に適用することが可能である。
【図面の簡単な説明】
【００４６】
【図１】本発明の入退場連絡システムの概要構成図である。
【図２】本発明の記憶装置に記録する情報の例である。
【図３】本発明の管理情報が電子メールアドレスである場合の説明図である。
【図４】本発明の識別情報と管理情報を合成して電子メールアドレスを生成する場合の例である。
【図５】本発明の入退場連絡システムの動作を示すフローチャートである。
【図６】本発明の入退場連絡用電子メールの例である。
【符号の説明】
【００４７】
１  可搬型記憶媒体
２  記憶装置
３  読取装置
４  連絡手段
５  連絡先取得手段
６  電子メール送信手段
【図１】
2005115726.tif 000003
【図２】
2005115726.tif 000004
【図３】
2005115726.tif 000005
【図４】
2005115726.tif 000006
【図５】
2005115726.tif 000007
【図６】
2005115726.tif 000008